(57)【要約】【課題】  便器にオガ屑や木チップ等を収容し、排出した人糞尿を攪拌羽根の回転にて攪拌することで分解・処理することが出来る簡易式バイオトイレであって、上記攪拌羽根が腐食した場合には簡単に交換することが出来るようにした簡易式バイオトイレの提供。【解決手段】  簡易式バイオトイレは椅子形態を成し、便器１４を出し入れ可能に収容した本体１、背凭れ２及び肘掛け３，３を備え、上記攪拌羽根１５，１５・・をシャフト１６に取付け、攪拌羽根１５，１５・・の間には位置決め用スペーサを設け、攪拌羽根１５の中央には角型の軸穴１７を貫通すると共に該軸穴１７に角型断面のシャフト１６が挿通している。【選択図】    図３
2005152515.tif 000002
【特許請求の範囲】
【請求項１】
便器にオガ屑や木チップ等を収容し、排出した人糞尿を攪拌羽根の回転にて攪拌することで分解・処理することが出来る簡易式バイオトイレにおいて、該簡易式バイオトイレは椅子形態を成し、便器を出し入れ可能に収容した本体、背凭れ及び肘掛けを備え、上記攪拌羽根をシャフトに取付け、攪拌羽根の間には位置決め用スペーサを設け、攪拌羽根の中央には角型の軸穴を貫通すると共に該軸穴に角型断面のシャフトが挿通していることを特徴とする簡易式バイオトイレ。
【請求項２】
上記肘掛けの外側にはアーム先端に握り部を形成した持ち手を取付けた請求項１記載の簡易式バイオトイレ。
【発明の詳細な説明】
【技術分野】
【０００１】
本発明は簡易式バイオトイレ、特に介護用として利便性があるトイレに関するものである。
【背景技術】
【０００２】
簡易式トイレには色々あり、その形態は用途に応じて異なっている。この簡易式トイレの中でオガ屑を利用して人糞尿を処理する方法が知られている。有機系廃棄物である生ゴミを無臭状態で資源化する場合と同じように処理することが出来る。むしろ人糞尿は生ゴミよりも早く分解される。人糞尿には何十億といった腸内細菌が混ざっている為で、これらのバクテリアがオガ屑のマトリックスという好気性条件下で効率よく繁殖して糞尿を素早く分解することが出来る。
【０００３】
介護用の簡易式トイレは部屋に設置される為に、臭いが問題となることから、微生物の働きにより臭いを無くすように工夫されている。生ごみを処理する場合と同じように、容器の中に入れて攪拌することで生ごみの大半が無くなり、臭いも外部へ流れ出ないような構造と成っている。すなわち、人糞尿を収容する便器には微生物が生息するオガ屑を入れ、攪拌羽根にて該人糞尿とオガ屑はゆっくり攪拌され、そして人糞尿は微生物にて分解されて、僅かな残りカスとなる。
【０００４】
オガ屑が持つ多孔性、高い空隙率、高い保水性及び排水性等の特色を活用し、好気性のバクテリアに活動の場を提供し、人糞尿はこのオガ屑のマトリックスで、臭気を発生することなく速やかに分解されて消滅する。分解残渣中の窒素、リン酸、カリウム等の無機成分は、オガ屑に染込んで最終的には肥料となり、オガ屑はミミズの餌などに成って土壌を改良する。
バイオトイレの特長は、水を使わず、汲み取り不要、臭気の発生が無く、糞尿が資源化される点にあり、地球環境を守り、水環境を改善することが出来、人糞尿を大切な資源としてリサイクルすることが出来る。ところで、従来のバイオトイレでは、人糞尿が排出される便器にはシャフトに攪拌羽根が取付けられ、モータによってシャフトと共に攪拌羽根を回転することが出来る。
【０００５】
便器に排出された人糞尿は収容されているオガ屑と共に攪拌されることで、酸素が供給されてオガ屑中に生息している微生物の活動を促進して、短時間で人糞尿を分解処理することが出来る。ところが、上記攪拌羽根は人糞尿に含まれるアンモニア等によって腐食し、短期間で損傷して交換しなくてはならなくなる。攪拌羽根はシャフトに溶接されている為に、シャフトごとの交換となり、メンテナンス費用が嵩むなどの問題がある。
【特許文献１】特許第１６３０６４６号に係る「し尿発酵分解装置」
【発明の開示】
【発明が解決しようとする課題】
【０００６】
このように、従来のバイオトイレには上記のごとき問題がある。本発明が解決しようとする課題はこの問題点であり、攪拌羽根が腐食して損傷した際には簡単に交換することが出来るようにした簡易式バイオトイレを提供する。
【課題を解決するための手段】
【０００７】
本発明の簡易式バイオトイレは、便器内に回転することが出来る攪拌羽根を備えている。攪拌羽根はシャフトに取付けられているが、従来のように溶接されることなくシャフトに挿入される。シャフトは角型断面を成し、攪拌羽根の中央には角型の軸穴が形成され、該軸穴にシャフトが嵌入する。複数の攪拌羽根がシャフトに取付けられるが、間にはスペーサが介在して攪拌羽根の間隔が保たれている。
【０００８】
そして、シャフト両端は便器に設けている軸受に軸支されてモータにて回転駆動される。攪拌羽根の回転は、排便した後で蓋を閉じるならば自動的に一定時間回転し、その後は定期的に回転するように制御される。ここで、攪拌羽根を取付けたシャフトの本数は限定しないこととし、便器の大きさに応じて定めることが出来る。
【０００９】
そして、本発明の簡易式バイオトイレは椅子形態を構成し、人糞尿が排出される便器は引出し式と成っていて、攪拌羽根などの保守点検が容易な構造としている。また、椅子形態である為に、両側には肘掛を設け、該肘掛には立ち上がる際の持ち手を備えている。
【発明の効果】
【００１０】
本発明の簡易式バイオトイレは、便器に攪拌羽根を備えていて、該攪拌羽根はモータによって回転することが出来る。従って、便器に排出された人糞尿は攪拌羽根の回転でオガ屑と混練され、オガ屑中に生息する微生物によって分解・処理される。そして、最終的には肥料として利用することが出来る。
【００１１】
攪拌羽根はその中央ボスに軸穴が形成され、角型断面のシャフトが軸穴に挿入されて該攪拌羽根はシャフトに取付けられる。攪拌羽根が人糞尿のアンモニアなどにて腐食した場合、攪拌羽根を抜き取って交換することが可能である。また、攪拌羽根はシャフトに溶接されていない為に、溶接熱による変形はなく、溶接熱による歪もなく、耐久性に優れた攪拌羽根となる。
【実施例】
【００１２】
図１は本発明に係る簡易式バイオトイレの外観(正面図と側面図)を示している。同図から明らかなように椅子形態であって、本体１、背もたれ２、肘掛け３，３を有している。本体１には便器が収容されていて、本体１の上側には便座４が設けられ、便座４には点線で示している蓋５が被さっている。そこで、トイレを使用する際には、蓋５を開けて便座４に座ることが出来る。
【００１３】
本発明の簡易式バイオトイレには持ち手６，６が肘掛け３，３の外側に取付けられている。持ち手６はアーム７の先端に握り部８を設けたＬ型を成している。持ち手６は肘掛け３の軸９に取付けられてその向きを変えることが出来るように揺動することが可能である。従って、老人や身体障害者が便座４から立ち上がる際に、持ち手６の握り部８を持って体を支えることが出来る。
【００１４】
図２は簡易式バイオトイレの背面図を示している。本体１の背面側には扉１０が取着されて、上端に設けている蝶番１１，１１を介して開閉することが出来る。本体１の内部には便器が収容され、該扉１０を開いて引き出すことが可能な構造と成っている。そして、本体１の背面側にはスイッチ１２が取付けられ、また便器に排出した人糞尿の臭いを吸い込むことが出来る吸引ホース１３を接続している。
【００１５】
図３は便器１４を示している。便器１４は箱型容器であり、内部には攪拌羽根１５，１５・・が備わっている。攪拌羽根１５，１５・・はシャフト１６に取付けられ、該シャフト１６の回転と共に回ることが出来、内部に排出された人糞尿がオガ屑と共に攪拌される。攪拌することでオガ屑と人糞尿の内部に酸素が供給されて分解速度が促進される。
【００１６】
図４は攪拌羽根１５を単独で表しているが、細長い長方形板の両端部を屈曲した簡単な形状と成っている。そして中央には軸穴１７が貫通して設けられ、該軸穴１７にはシャフト１６を挿通することが出来る。ここで、シャフト１６は正方形断面を有し、軸穴１７も正方形と成っている為に、軸穴１７にシャフト１６が嵌って攪拌羽根１５が取付けられるならば、攪拌羽根１５はシャフト１６と共に回転することが出来る。
【００１７】
図３に示す便器１４には２本のシャフト１６，１６が平行に取付けられ、シャフト１６の両端は軸受１８，１８にて回転自在に支持されている。そして、便器外側にはモータ１９が設けられ、モータにてシャフト１６及び攪拌羽根１５，１５・・は回転することが出来る。シャフト１６に取付けられた攪拌羽根１５，１５・・の位置がズレないように、すなわち、攪拌羽根１５，１５・・の間隔が変化しないように間にはスペーサが介在している。
【００１８】
図４に示している攪拌羽根１５は極めてシンプルであるが、あくまでも１具体例に過ぎず、その形状は限定しない。また、便器１４の容量が大きな場合には、３本〜５本のシャフトを設け、しかも１本のシャフト１６に取付けられる攪拌羽根１５，１５・・の枚数も多くすることが出来る。そして、各シャフト１６，１６・・に取付けられる攪拌羽根１５，１５・・の向きは内部に収容されるオガ屑及び人糞尿が十分に攪拌されうるようにしている。
【００１９】
この便器１４は簡易式バイオトイレの本体１に収容される。そして、背面側に設けている扉１０を開くことで出し入れすることが出来るように、本体底にはレールを取付けている。
【図面の簡単な説明】
【００２０】
【図１】本発明に係る簡易式バイオトイレの正面図と側面図。
【図２】本発明に係る簡易式バイオトイレの背面図。
【図３】便器の内部構造。
【図４】攪拌羽根の具体例。
【符号の説明】
【００２１】
１  本体
２  背凭れ
３  肘掛け
４  便座
５  蓋
６  持ち手
７  アーム
８  持ち手
９  軸
10  扉
11  蝶番
12  スイッチ
13  吸引ホース
14  便器
15  攪拌羽根
16  シャフト
17  軸穴
18  軸受
19  モータ
【図１】
2005152515.tif 000003
【図２】
2005152515.tif 000004
【図３】
2005152515.tif 000005
【図４】
2005152515.tif 000006